(57)【要約】【課題】構造の強度を落とさずに構造を簡単化し、使用上の安全性及び実用性を高めたステッパーの構造を提供する。【解決手段】本体１０に支え棒１３を設け、該支え棒１３両側にステップ板３０を設け、該ステップ板３０と該本体１０との間に圧力を提供すべく油圧シリンダ４０を設け、該本体１０上の前脚１１と該支え棒１３間には回転管２０を設け、該回転管２０両側には接触棒２１を設け、該ステップ板３０の踏み下げ動作により枢設部３１を回動させて下方へ延伸する垂直棒３２を回動させ、これに接触する該接触棒２１を回動させると共に他方の該接触棒２１が連動して、もう一方の該垂直棒３２を押し、これによりもう一方の該ステップ板３０を上方に押し上げる。【選択図】        図１
2005168771.tif 000002
【特許請求の範囲】
【請求項１】
前脚と後脚と支え棒と主棒と嵌合部と連結部とが一体とされている本体、並びに回転管、ステップ板、油圧シリンダより構成されるステッパーの構造において、
該前脚と該後脚との間に連結されている該主棒と、
下端が該後脚に連結されており、上端底部には嵌合部が突起して設けられており、両側には枢接棒が突出して設けられており、且つ該枢接棒上には枢接部が枢接されており、該枢接部下方には垂直な状態で垂直棒が設けられている該支え棒と、
該枢接部より延伸しており、下方において使用者が踏んだ際に圧力を提供するべく該油圧シリンダの一端と枢接されており、且つ該油圧シリンダのもう一端は該前脚上に枢接されているステップ板と、
該主棒と該前脚の連結側上方に突出して設けられている該連結部と、
中空の円筒であり、両側には該本体上の垂直棒と接触する接触棒が突出して設けられており、ボルトで該嵌合部と該連結部が固定されることで、該本体と連結されて一体にされてなる該回転管と、
を具有することを特徴とする身体鍛錬用ステッパーの構造。
【請求項２】
ボルトによって螺合固定するべく、該嵌合部の上端、及び該連結部の中心にはボルトホールがそれぞれ一つずつ設けられていることを特徴とする請求項１記載のステッパーの構造。
【請求項３】
該支え棒上にはメータが設けられていることを特徴とする請求項１記載のステッパーの構造。
【請求項４】
該回転管の回転をスムーズにするべく、該回転管内部には回転補助軸が固定されていることを特徴とする請求項１記載のステッパーの構造。
【発明の詳細な説明】
【技術分野】
【０００１】
本発明は、身体鍛錬用ステッパーの構造に係り、特に強度を低下させずに、連動構造を更に簡単な構造とすることで、使用上の実用性や便利性及び安全性を高めたステッパーの構造に関わる。
【特許文献１】台湾特許  第３８４７１６号公報
【背景技術】
【０００２】
公知におけるステッパーの構造においては、主に二つのステップ板間の台座に油圧シリンダが設けられていることにより、使用者が該ステップ板を踏む際に適度な圧力を提供し、且つ二つの該ステップ板で交互に上下する運動効果が提供されるものがある。
更に詳細な構造としては、軸管内に回転部が設けられており、該回転部両側からは接触棒が突出して設けられており、該接触棒が該軸管外部に穿出されると同時に、二つの該ステップ板にはそれぞれ垂直棒が設けられ、該接触棒と接触する構造となっている。二つのうち、一つの該ステップ板を踏むことで該回転部を回転させると、もう一方の該接触棒の上端がもう一つのステップ板を上方に押し上げ、こうして二つの該ステップ板が交互に上下して運動する目的が達成されている。
【発明の開示】
【発明が解決しようとする課題】
【０００３】
しかし上述のような公知におけるステッパーの構造には、構造が複雑であることが欠点となっている。具体的には、該回転部は軸管内部に設けられ、且つ軸管に相対して回転し、且つ該回転部の両側に突出して設けられた接触棒がそれぞれ該軸管の孔より外部へ穿出する構造を具有するため、該軸管の両側に接触棒がスムーズに回転移動するべく、ある程度の大きさの孔を設けなければならならいため、製造工程が複雑でコストがかかるからである。
そこで構造の強度を変えずに構造を簡単化し、使用上の安全性及び実用性を高めるべく本発明のステッパーの構造を提供する。
【課題を解決するための手段】
【０００４】
主に本体と回転管と二枚のステップ板と油圧シリンダとメータとより構成し、該本体には前脚、後脚、支え棒、主棒、嵌合部が一体成型され、該主棒は該前脚と後脚の間に連結する。該支え棒の下端は該後脚に連結し、上端底部には嵌合部を設け、該嵌合部の上端にはボルトホールを設け、該ボルトホール付近にはメータを設ける。該メータ上端両側には枢接部を設け、該枢接部の下方には垂直に延伸する垂直棒を設け、該垂直棒からは更にステップ板を延伸して設け、該ステップ板底部と該油圧シリンダの一端とを相互に枢接し、該油圧シリンダのもう一端は該前脚上に枢接する。また連結部を該主棒と該前脚の連結個所上方より突出して設けられる円中体とし、該円柱体中にはボルトホールを設ける。
該回転管は中空の円筒とし、両側には接触棒を設け、該接触棒は該本体上の垂直棒と接触するものとし、該回転管内部には更に回転補助軸を設け、これをボルトにより該回転補助軸を穿設して該嵌合部と連結部に固定し、該本体と回転管とを連結させて一体にする。
使用時には片方の該ステップ板を踏み、該枢接部を該枢接棒に合わせて回転させ、同時に該垂直棒を連動させて該回転管上の接触棒を押し、もう片側の接触棒を連動させることでもう一方の該ステップ板を上方へ押し上げるようにする。
【発明の効果】
【０００５】
本発明によると、メータや油圧シリンダ等の便利な構造はそのままに、構造を一体成型とし、並びに支え棒を後脚上に増設することで使用時にかかる力を前後両脚に分散させることで更に構造が強化されたと同時に、製造工程の簡単化とコストの削減が達成された。
【発明を実施するための最良の形態】
【０００６】
本発明のステッパーには、図１に示すように、主に本体１０と回転管２０とステップ板３０、並びに油圧シリンダ４０とメータ５０とより構成される。該ステップ板３０及び油圧シリンダ４０、メータ５０などの装置及びその構造においては公知の範囲となるため、敢えて説明を加えない。
【０００７】
該本体１０は前脚１１及び後脚１２、支え棒１３、主棒１４、嵌合部１５、連結部１６が一体となって設けられている。該前脚１１と後脚１２と主棒１４とにより、「工」の字のような形状を呈しており、該主棒１４と該支え棒１３とは「Ｖ」の字のような形状を呈している。
該支え棒１３は、下端が該後脚１２に連結されており、且つ上端底部からは嵌合部１５が突出して設けられており、更に該嵌合部１５の上端にはボルトホール１３２が設けられており、該ボルトホール１３２付近にはメータ５０が埋め込まれた状態で設けられている。
【０００８】
該メータ５０上端両側位置からは枢接棒１３１が延伸しており、該枢接棒１３１上には枢接部３１が枢接されており、該枢接部３１下方には垂直な状態で垂直棒３２が設けられており、且つ該該枢接部３１からはステップ板３０が延伸して設けられており、該ステップ板３０底部は該油圧シリンダ４０の一端と枢接されている。該油圧シリンダ４０のもう一端は該前脚１１両側上に枢接されている。該連結部１６は、該主棒１４と該前脚１１の連結個所上方より突起した状態で設けられており、且つ該連結部１６は円柱状を呈して該円柱の中心個所にはボルトホール１６１が設けられているものとする。
【０００９】
該回転管２０においては、中空の円筒であり、両側には接触棒２１が突起した状態で設けられており、該接触棒２１は該本体１０上の垂直棒３２と相互に接触するものとする。また該回転管２０内部には回転補助軸２２が設けられており、ボルト２３が該回転補助軸２２を穿設して該嵌合部１５を連結部１６上に螺設固定しており、該本体１０と該回転管２０とを連結させて一体としている。
【００１０】
使用時には、図２に示すように、使用者がステップ板を踏むことで該ステップ板３０が下方へ移動すると、該枢接部３１が該枢接棒１３１に対して回転し、これによって該垂直棒３２が上下に回動してこれに接する該回転管２０一端の接触棒２１が回転すると共に、もう片側の該接触棒２１がもう一方のステップ板３０を上方に押し上げ、よって一方の該ステップ板３０が上がり、もう一方のステップ板３０が下がり、相対して運動する目的が果たされる。
【図面の簡単な説明】
【００１１】
【図１】本発明における分解説明図である。
【図２】本発明における構造外観図である。
【図３】本発明における動作の説明図である。
【図４】本発明における一般状態側面図である。
【図５】本発明における一般状態局部俯瞰図である。
【図６】本発明における構造側面図である。
【図７】本発明における動作の局部俯瞰図である。
【符号の説明】
【００１２】
１０  本体
１１  前脚
１２  後脚
１３  支え棒
１３１  枢接棒
１３２  ボルトホール
１４  主棒
１５  嵌合部
１６  連結部
１６１  ボルトホール
２０  回転管
２１  接触棒
２２  回転補助軸
２３  ボルト
３０  ステップ板
３１  枢接部
３２  垂直棒
４０  油圧シリンダ
５０  メータ
【図１】
2005168771.tif 000003
【図２】
2005168771.tif 000004
【図３】
2005168771.tif 000005
【図４】
2005168771.tif 000006
【図５】
2005168771.tif 000007
【図６】
2005168771.tif 000008
【図７】
2005168771.tif 000009